(57)【要約】【課題】裏面読み取りが不要な場合の待ち時間を短縮する。【解決手段】表面用ＣＣＤラインセンサ５８は、片面読み取りにおいて、表面読取位置Ｐｆにて原稿の表面を読み取る。裏面読取ユニットＵＮＴの裏面用ＣＣＤラインセンサ２０は、両面読み取りにおいて、裏面読取位置Ｐｒを通過する原稿の裏面を読み取る。原稿の裏面の読み取りを必要とせず且つ、表面読取位置Ｐｆを通過する原稿の表面の読み取りを行う片面読み取りのジョブが投入された場合は、ＣＰＵ１２は、裏面用ＣＣＤラインセンサ２０の調整動作が完了しているか否かにかかわらず、ＡＤＦ部１１２及び表面読取ユニット５９の動作を許可して片面読み取りが行われるよう制御する。調整動作が完了していないときは、調整動作を中断して片面読み取りのジョブを実行し、ジョブの終了後に調整動作を再開する。【選択図】図６
2014187617.tif 000002
【特許請求の範囲】
【請求項１】
搬送路に沿って原稿を搬送する搬送手段と、
前記搬送手段により搬送されて前記搬送路における表面読取位置を通過する原稿の表面を読み取る第１の読取部と、
基準白板を有して前記搬送路において移動可能な移動ガラスを有し、前記搬送手段により搬送されて前記搬送路における裏面読取位置を通過する原稿の裏面を、前記移動ガラスを介して読み取る第２の読取部と、
前記搬送手段、前記第１の読取部及び前記第２の読取部を制御する制御手段とを有し、
前記制御手段は、電源投入時、または省電力モードから動作モードへの復帰時には、前記第２の読取部の前記移動ガラスを第１の位置に位置させて前記基準白板を用いた読み取り準備を行う調整動作を開始させ、一方、前記裏面読取位置を通過する原稿の裏面を読み取る際には前記移動ガラスを第２の位置に位置させ、
前記制御手段は、前記原稿の裏面の読み取りを必要とせず且つ、前記表面読取位置を通過する原稿の表面の読み取りを行うジョブが投入された場合は、前記第２の読取部の前記調整動作が完了しているか否かにかかわらず、前記搬送手段及び前記第１の読取部の動作を許可して前記表面読取位置を通過する原稿の表面の読み取りが行われるよう制御することを特徴とする原稿読取装置。
【請求項２】
前記制御手段は、前記原稿の裏面の読み取りを必要とせず且つ、前記表面読取位置を通過する原稿の表面の読み取りを行うジョブが投入された場合に、前記調整動作が完了していないときは、前記調整動作を中断し、該中断した調整動作を前記ジョブの処理の終了後に再開するよう制御することを特徴とする請求項１記載の原稿読取装置。
【請求項３】
前記第１の読取部は、圧板ガラスに載置された原稿の表面を、前記搬送手段を用いることなく読み取る圧板読み取りが可能であり、
前記制御手段は、圧板読み取りを行うジョブが投入された場合は、前記調整動作が完了しているか否かにかかわらず、前記第１の読取部の動作を許可して前記圧板読み取りが行われるよう制御することを特徴とする請求項１または２記載の原稿読取装置。
【請求項４】
前記制御手段は、前記圧板読み取りを行うジョブが投入された場合に、前記調整動作が完了していないときは、前記調整動作を中断することなく前記圧板読み取りが行われるのと並行して前記調整動作が継続されるよう制御することを特徴とする請求項３記載の原稿読取装置。
【請求項５】
搬送路に沿って原稿を搬送する搬送手段と、前記搬送手段により搬送されて前記搬送路における表面読取位置を通過する原稿の表面を読み取る第１の読取部と、基準白板を有して前記搬送路において移動可能な移動ガラスを有し、前記搬送手段により搬送されて前記搬送路における裏面読取位置を通過する原稿の裏面を、前記移動ガラスを介して読み取る第２の読取部とを有する原稿読取装置の制御方法であって、
電源投入時、または省電力モードから動作モードへの復帰時には、前記第２の読取部の前記移動ガラスを第１の位置に位置させて前記基準白板を用いた読み取り準備を行う調整動作を開始させ、一方、前記裏面読取位置を通過する原稿の裏面を読み取る際には前記移動ガラスを第２の位置に位置させるよう制御すると共に、
前記原稿の裏面の読み取りを必要とせず且つ、前記表面読取位置を通過する原稿の表面の読み取りを行うジョブが投入された場合は、前記第２の読取部の前記調整動作が完了しているか否かにかかわらず、前記搬送手段及び前記第１の読取部の動作を許可して前記表面読取位置を通過する原稿の表面の読み取りが行われるよう制御することを特徴とする原稿読取装置の制御方法。
【発明の詳細な説明】
【技術分野】
【０００１】
本発明は、原稿の両面読み取りが可能な原稿読取装置及びその制御方法に関する。
【背景技術】
【０００２】
従来、複写機等の画像形成装置には、画像形成部や画像読取部（原稿読取装置）等の一部の装置の電源をオフにできるように電源装置を構成したものがある。このような画像形成装置は、一定時間以上続けて装置が使用されなかった場合に電源を自動的にオフすることで、ユーザが装置を使用しない期間の消費電力を削減する、いわゆる省電力モードを備えている。
【０００３】
省電力モードとなっている状態で一部または全部の装置を使用したい場合には、ユーザが操作部等に設けられた特定のキーを押す。すると、省電力モードを解除して装置を使用可能な状態に戻すための復帰制御が行われ、復帰制御が完了すると装置が使用可能な状態に戻る。ところが、この復帰制御に長い時間を要すると利便性が損なわれる。特に画像形成装置に搭載される原稿読取装置は、スキャン、複写、ファクシミリ送信等、複数の機能に用いられ、通常、ユーザが最初に動作を欲する装置となるため、復帰制御の一層の時間短縮が求められる。
【０００４】
そこで、原稿読取装置内の自動原稿送り部（ＡＤＦ）、光学読取部及び画像データ処理部等の複数の機能モジュールの復帰制御を、復帰要因によって切り替える方法が提案されている（特許文献１）。すなわち、ＡＤＦに原稿がセットされた場合の復帰制御では、ＡＤＦ、光学読取部、画像データ処理部の順で復帰させることで、復帰時間の短縮化を図っている。
【先行技術文献】
【特許文献】
【０００５】
【特許文献１】特開２０１１−７１７７９号公報
【発明の概要】
【発明が解決しようとする課題】
【０００６】
ところで、オフィス文書を効率的に電子化するニーズが高まっており、ＡＤＦ内に、表面用及び裏面用の２つの読取ユニットを備える両面同時読取方式が主流になってきている。両面同時読取方式のＡＤＦでは、裏面用の読み取りユニットがＡＤＦの原稿搬送パス側に搭載されるのが主流である。裏面用の読み取りユニットの復帰制御では、例えば図２（ａ）に示すように、基準白板６１を読み取って裏面読取り用の裏面用ＣＣＤラインセンサ２０のゲイン調整等の調整動作を行う。
【０００７】
基準白板６１が、移動可能な移動ガラス２２に張り付けられる構成では、調整動作を行う際に、裏面用ＣＣＤラインセンサ２０の直下に基準白板６１が見えるような位置に移動ガラス２２を位置させる必要がある。
【０００８】
一方、原稿を搬送して移動ガラス２２を介して裏面を読み取る際には、図２（ｂ）に示す位置に移動ガラス２２を位置させる必要がある。しかし、図２（ａ）のように、裏面用ＣＣＤラインセンサ２０の調整動作中はＡＤＦの原稿搬送路が開いてしまうため、原稿搬送を行うことができず、表面読み取りもできない。
【０００９】
従って、仮に特許文献１のように、ＡＤＦの復帰、光学読取部の復帰を順に行うとした場合、裏面用の光学読取部の復帰が完了しなければ、ＡＤＦの機能を使用することができない。このように、１つの機能（例えば、搬送しながら一方の面または両面を読み取る機能）を実現するのに複数のユニットが関連する構成となっている原稿読取装置においては、全てのユニットの復帰完了を待つことになる。このことから、所望する処理の開始までの待ち時間が長くなって利便性が低下するという問題があった。
【００１０】
本発明は上記従来技術の問題を解決するためになされたものであり、その目的は、裏面読み取りが不要な場合の待ち時間を短縮することにある。
【課題を解決するための手段】
【００１１】
上記目的を達成するために本発明は、搬送路に沿って原稿を搬送する搬送手段と、前記搬送手段により搬送されて前記搬送路における表面読取位置を通過する原稿の表面を読み取る第１の読取部と、基準白板を有して前記搬送路において移動可能な移動ガラスを有し、前記搬送手段により搬送されて前記搬送路における裏面読取位置を通過する原稿の裏面を、前記移動ガラスを介して読み取る第２の読取部と、前記搬送手段、前記第１の読取部及び前記第２の読取部を制御する制御手段とを有し、前記制御手段は、電源投入時、または省電力モードから動作モードへの復帰時には、前記第２の読取部の前記移動ガラスを第１の位置に位置させて前記基準白板を用いた読み取り準備を行う調整動作を開始させ、一方、前記裏面読取位置を通過する原稿の裏面を読み取る際には前記移動ガラスを第２の位置に位置させ、前記制御手段は、前記原稿の裏面の読み取りを必要とせず且つ、前記表面読取位置を通過する原稿の表面の読み取りを行うジョブが投入された場合は、前記第２の読取部の前記調整動作が完了しているか否かにかかわらず、前記搬送手段及び前記第１の読取部の動作を許可して前記表面読取位置を通過する原稿の表面の読み取りが行われるよう制御することを特徴とする。
【発明の効果】
【００１２】
本発明によれば、裏面読み取りが不要な場合の待ち時間を短縮することができる。
【図面の簡単な説明】
【００１３】
【図１】原稿読取装置の主要部の構成を示す断面図である。
【図２】移動ガラスが第１の位置（図（ａ））、第２の位置（図（ｂ））にある、裏面読取ユニット及びその周辺の拡大図である。
【図３】原稿読取装置のブロック図である。
【図４】コントローラ部の操作表示部における表示例を示す図である。
【図５】電源投入時、または省電力モードから動作モードへの復帰時における、コントローラ部で実行される制御処理のフローチャートである。
【図６】動作モードへの復帰時における、画像読取部で実行される制御処理、ジョブ処理のフローチャートである。
【図７】電源投入時または省電力モード解除時の各復帰シーケンスを示す図である。
【図８】裏面読み取りユニット復帰シーケンスが完了していない状態で、片面読み取りのジョブが投入された場合の各復帰シーケンスを示す図である。
【図９】裏面読み取りユニット復帰シーケンスが完了していない状態で、圧板読み取りのジョブが投入された場合の各復帰シーケンスを示す図である。
【発明を実施するための形態】
【００１４】
以下、本発明の実施の形態を図面を参照して説明する。
【００１５】
図１は、本実施の形態に係る原稿読取装置の主要部の構成を示す断面図である。この原稿読取装置は、単独として構成されてもよいが、画像形成装置に接続、または画像形成装置の一部として構成されてもよい。従って、本原稿読取装置は、印刷、複写、ＦＡＸ送受信等の各種機能を有する複合機の一部であってもよい。
【００１６】
原稿読取装置は、図１に示すように、画像読取部１００及びコントローラ部２００（図３）から構成されている。画像読取部１００は、下半部１１０と上半部１１１とからなる。
【００１７】
下半部１１０には主に、圧板ガラス５２、流し読みガラス５１、表面読取ユニット５９、表面用ＣＣＤラインセンサ５８等が備えられる。圧板ガラス５２と流し読みガラス５１との間には基準白板６０が設けられる。上半部１１１には主に、原稿トレイ１、原稿トレイ１にセットされた原稿を搬送路Ｒに沿って原稿排紙トレイ２５まで搬送する自動原稿送り部（以下、ＡＤＦ部と記す）１１２、および裏面読取ユニットＵＮＴが備えられる。裏面読取ユニットＵＮＴは、搬送路Ｒの途中に配置される。
【００１８】
画像読取部１００は、読取モードとして固定読みモード及び流し読みモードを有している。固定読みモードは、ユーザがＡＤＦ部１１２の原稿トレイ１に原稿を載置（セット）せずに、後述のスタートキー３０４（図４）を押した場合、圧板ガラス５２にセットされた原稿を表面用ＣＣＤラインセンサ５８で読み取るモードである。この場合、圧板ガラス５２に対向する原稿の下面が読み取られるので、ユーザは、読み取らせたい面を下側に向けて圧板ガラス５２上に載置する。
【００１９】
固定読みモードでは、光学モータ４０（図３）により表面読取ユニット５９が圧板ガラス５２に沿ってスライド移動させられる。そして、表面読取ユニット５９が移動することにより表面用ＣＣＤラインセンサ５８が原稿を読み取る（圧板読み取り）。この場合、ＡＤＦ部１１２及び裏面読取ユニットＵＮＴは使用されない。
【００２０】
流し読みモードは、表面読取ユニット５９を固定し、原稿をＡＤＦ部１１２で搬送しながら読み取るモードであり、片面読取モードと両面読取モードとがある。片面読取モードでは、表面読取位置Ｐｆにて流し読みガラス５１を介して表面用ＣＣＤラインセンサ５８が搬送されている原稿の表面を読み取る（片面読み取り）。両面読取モードでは、片面読み取りと並行して裏面読取ユニットＵＮＴの裏面用ＣＣＤラインセンサ２０が搬送されている原稿の裏面を読み取る（両面読み取り）。
【００２１】
ＡＤＦ部１１２において、原稿トレイ１は、少なくとも１枚以上のシート原稿からなる原稿束が載置される昇降可能なトレイである。原稿トレイ１には、原稿検知センサ７、サイズ検知センサ８が備えられる。原稿束の最上面の原稿は、ピックアップローラ２により画像読取部１００の上半部１１１内に送り込まれる。
【００２２】
原稿の搬送開始前に、ピックアップローラ２が降下し、リフターモータ３０（図３）が駆動されて原稿トレイ１が上昇する。原稿束の最上面の原稿が給送位置に到達すると、原稿束の最上面に当接しているピックアップローラ２に連動して回転する紙面検知フラグ９が、紙面検知センサ１０を遮断する。そして、遮断された紙面検知センサ１０から紙面を検知したことを示すオン信号が出力され、このオン信号に基づき原稿トレイ１の上昇が停止される。そして、給送動作が開始される。ピックアップローラ２によって給送された原稿はフィードローラ４とリタードローラ５から構成される分離ローラ対３の作用によって１枚に分離される。この分離は周知のリタード分離技術によって実現されている。
【００２３】
分離された原稿は、引抜ローラ対６、搬送ローラ対１３により、分離後センサ１１、レジ前センサ１４を経て搬送され、レジストローラ対１５に突き当てられ、搬送されている原稿の斜行が解消される。
【００２４】
斜行が解消された後、原稿はレジストローラ対１５によってプラテン上流ローラ対１６、さらにはプラテンローラ１７へと送られる。このとき、プラテンローラ１７は、流し読みガラス５１に接触しており、プラテンローラ１７を通過する原稿の表面は流し読みガラス５１に押しつけられる。さらに、原稿の表面は表面読取ユニット５９の光源ランプ５３で照射される。そして、原稿の表面からの反射光は、ミラー５４、５５、５６、レンズ５７を経て表面用ＣＣＤラインセンサ５８に受光され、原稿の表面の画像を示す画像信号が生成される。
【００２５】
プラテンローラ１７により搬送された原稿は、プラテン下流ローラ対１８を通過し、裏面読取ローラ１９に送られる。裏面読取ローラ１９は移動可能な移動ガラス２２と接触しており、両面読取モードの場合には、裏面読取ローラ１９を通過する原稿の裏面が光源ランプ２１で照射される。そして、原稿の裏面からの反射光は裏面用ＣＣＤラインセンサ２０に受光され、裏面の画像を示す画像信号が生成される。
【００２６】
裏面読取ローラ１９により搬送された原稿は、排紙センサ２３を経て排紙ローラ対２４によって原稿排紙トレイ２５に排出される。このほか、下半部１１０には表面読取ユニットＨＰセンサ４２が設けられる。上半部１１１には裏面読取ガラスＨＰセンサ４３が設けられる。
【００２７】
図２（ａ）、（ｂ）は、裏面読取ユニットＵＮＴ及びその周辺の拡大図である。
【００２８】
移動ガラス２２には、基準白板６１が貼り付けられている。移動ガラス２２は、ガラス移動モータ４１によって駆動されて移動する。裏面読取ユニットＵＮＴの裏面用ＣＣＤラインセンサ２０は、搬送路Ｒに沿って裏面読取位置Ｐｒを通過する原稿の裏面を裏面読取位置Ｐｒにおいて読み取る。
【００２９】
特に、図２（ａ）に示す移動ガラス２２の位置は、電源投入時、または省電力モードから動作モードへの復帰時において、基準白板６１を用いた裏面用ＣＣＤラインセンサ２０の調整動作が実行される際の位置である。この位置を「第１の位置」と称する。図２（ｂ）に示す移動ガラス２２の位置は、両面読取モードにおいて裏面用ＣＣＤラインセンサ２０が原稿の裏面を読み取る際の位置で、これを「第２の位置」と称する。
【００３０】
移動ガラス２２を駆動する前準備として、裏面読取ガラスＨＰセンサ４３を用いて位置決めが行われる。移動ガラス２２が第１の位置にあると、裏面用ＣＣＤラインセンサ２０の裏面読取位置Ｐｒに基準白板６１が位置する。後述する復帰シーケンスで各種調整を行う際には、移動ガラス２２が第１の位置に位置して、基準白板６１を裏面用ＣＣＤラインセンサ２０が読み取る。
【００３１】
移動ガラス２２が第２の位置にあるとき、移動ガラス２２は搬送路Ｒの一部となり、原稿の搬送が可能になる。移動ガラス２２が第２の位置にあると、移動ガラス２２を介して原稿の裏面の読み取りが可能となる。両面読取モードでは、搬送路Ｒを搬送される原稿の裏面の画像を、裏面読取位置Ｐｒにて裏面用ＣＣＤラインセンサ２０が読み取る。移動ガラス２２は搬送路Ｒの一部を構成するため、裏面用ＣＣＤラインセンサ２０を使用しない例えば片面読取モードの場合にも、移動ガラス２２は第２の位置に位置させる必要がある。
【００３２】
図３は、原稿読取装置のブロック図である。
【００３３】
画像読取部１００は、ＣＰＵ１２、ＲＯＭ８０、ＲＡＭ９０、光源ランプ２１、光源ランプ５３、画像処理部７０、画像メモリ７１のほか、各種センサ、各種モータを備える。各種モータには、前述したもののほか、リードモータ３１、分離モータ３７、搬送モータ３８、ピックアップモータ３９が含まれる。分離モータ３７は、分離ローラ対３による分離動作の駆動源となる。搬送モータ３８は、ＡＤＦ部１１２における搬送路Ｒに沿う原稿の搬送のための駆動源となる。コントローラ部２００は、ＣＰＵ１０１、画像処理部１０２、画像メモリ１０３、操作表示部２１０を備える。
【００３４】
画像読取部１００の全体が、制御手段としてのＣＰＵ１２によって制御される。コントローラ部２００の全体がＣＰＵ１０１によって制御される。画像読取部１００とコントローラ部２００とは電気的に接続され、ＣＰＵ１２とＣＰＵ１０１とはシリアル通信を介してコマンドを授受する。
【００３５】
画像読取部１００が原稿の表面を読み取る際、表面用ＣＣＤラインセンサ５８から、読取原稿の画像濃度に応じたアナログ電気信号が出力される。原稿の裏面を読み取る際は、裏面用ＣＣＤラインセンサ２０から、読取原稿の画像濃度に応じたアナログ電気信号が出力される。これらのアナログ電信号は不図示のＡ／Ｄ変換回路を介してデジタル画像信号に変換され、画像処理部７０に入力され、入力された画像データは画像メモリ７１に一旦バッファされる。
【００３６】
コントローラ部２００からの指令により、バッファされた画像データは画像処理部７０を介してコントローラ部２００の画像処理部１０２に転送され、画像メモリ１０３に蓄積される。蓄積された画像データは、その後、複写機能やＦＡＸ送信機能等、各種機能に適宜に使用される。また、コントローラ部２００からの指令により、画像読取部１００の電源のオン、オフを制御することができる。
【００３７】
図４（ａ）〜（ｃ）は、コントローラ部２００の操作表示部２１０における表示例を示す図である。操作表示部２１０は、タッチパネルの機能を有した液晶表示部を備え、画面上には、両面読取モードボタン３０２等のソフトキーが作成可能となっている。操作表示部２１０の画面上において、ユーザは原稿の両面読取モード等の読取モードに関する設定・指定を入力することができる。
【００３８】
操作表示部２１０の画面の近傍にはスタートキー３０４及びＬＥＤ３０３が配置される。操作表示部２１０のメッセージエリア３０１には、画像読取部１００の状態に応じたメッセージが表示される。また、画像読取部１００の状態によって、ＬＥＤ３０３の点灯・消灯が切り替わる。ＬＥＤ３０３は、点灯／消灯されることにより、スタートキー３０４が使用可能／使用不可であることを知らせる。
【００３９】
図４（ａ）では、原稿読取装置の起動開始直後の操作表示部２１０の状態が示されている。この状態では、メッセージエリア３０１に、装置の操作を待つ旨が表示される。さらに、両面読取モードボタン３０２はグレーアウトされて使用不可となり、ＬＥＤ３０３は消灯状態でスタートキー３０４が使用不可であることが示される。すなわち、図４（ａ）の状態は、装置の全ての機能が使用不可であることが示される。
【００４０】
図４（ｂ）では、装置の起動途中の状態が示されている。メッセージエリア３０１に、操作が可能である旨が表示される。さらに、両面読取モードボタン３０２は使用不可であるが、ＬＥＤ３０３は点灯状態となっていてスタートキー３０４が使用可能であることが示されている。すなわち、この状態では、両面読取モード以外の読取モードは動作可能であることが示される。つまり、固定読みモードまたは片面読取モードの動作は可能である。
【００４１】
図４（ｃ）では、装置の起動完了後の状態が示されている。メッセージエリア３０１には、ユーザに装置の操作が可能である旨が表示される。さらに、両面読取モードボタン３０２も使用可能であり、ＬＥＤ３０３は点灯状態となっていてスタートキー３０４も使用可能であることが示されている。すなわち、全ての動作が可能であることが示されている。従って、固定読みモード、片面読取モードおよび両面読取モードの動作が可能である。
【００４２】
図５は、電源投入時、または省電力モードから動作モードへの復帰時における、コントローラ部２００で実行される制御処理のフローチャートである。
【００４３】
この処理は、ユーザが、原稿読取装置の電源スイッチ（図示せず）をＯＮするか、または省電力モード中に復帰ボタン（図示せず）を押した時に開始される。まず、ＣＰＵ１０１は、画像読取部１００への通電を行うと共にＣＰＵ１２へシリアル通信で復帰コマンドを送ることで復帰通知を行う（ステップＳ２０１）。
【００４４】
次にＣＰＵ１０１は、画像読取部１００から復帰応答が到来しているか否かを判別する（ステップＳ２０２）。この復帰応答は、後述する図６（ａ）のステップＳ３１７、Ｓ３２７、Ｓ３３２で通知されるものである。その判別の結果、復帰応答が到来していない場合は、ＣＰＵ１０１は、ＬＥＤ３０３が点灯している状態でスタートキー３０４が押されたか否かを判別する（ステップＳ２０３）。その判別の結果、ＣＰＵ１０１は、ＬＥＤ３０３が点灯している状態でスタートキー３０４が押された場合は、選択されている読取モードで読み取りを行わせるべく、読取ジョブを画像読取部１００に対して投入する（ステップＳ２０４）。その後、処理はステップＳ２０２に戻る。
【００４５】
一方、「ＬＥＤ３０３が点灯している状態でスタートキー３０４が押された場合」に該当しないときは、ＣＰＵ１０１は、装置の電源のＯＮ、ボタン操作、ジョブの終了のうち最新のイベントから所定時間が経過したか否かを判別する（ステップＳ２１１）。その判別の結果、上記最新のイベントから所定時間が経過していない場合は、ＣＰＵ１０１は、処理をステップＳ２０２に戻す。しかし上記最新のイベントから所定時間が経過した場合は、ＣＰＵ１０１は、画像読取部１００の電源を落として省電力モードへ移行するよう画像読取部１００に指令を送る（ステップＳ２１２）。これにより、装置は省電力モードとなる。
【００４６】
一方、ステップＳ２０２の判別の結果、画像読取部１００から復帰応答が到来した場合は、ＣＰＵ１０１は、その復帰応答の詳細をチェックする。復帰応答には、圧板読取可、ＡＤＦ片面読取可、ＡＤＦ両面読取可が有り得る。圧板読取可という応答は、固定読みモード（圧板読み取り）が可能であることを示す。ＡＤＦ片面読取可という応答は、片面読取モード（片面読み取り）が可能であることを示す。ＡＤＦ両面読取可という応答は、両面読取モード（両面読み取り）が可能であることを示す。
【００４７】
まず、ＣＰＵ１０１は、復帰応答のパラメータが、圧板読取可であったか否かを判別し（ステップＳ２０５）、圧板読取可でなければ処理をステップＳ２０６に進める一方、圧板読取可であれば、処理をステップＳ２０８に進める。圧板読取可であれば、少なくとも圧板読み取り（圧板スキャン）は可能であるため、ＣＰＵ１０１は、ステップＳ２０８で、ＬＥＤ３０３を点灯する（図４（ａ））。これにより、少なくとも固定読みモードの実行が可能になる。
【００４８】
ステップＳ２０６では、ＣＰＵ１０１は、復帰応答のパラメータが、ＡＤＦ片面読取可であったか否かを判別し、ＡＤＦ片面読取可でなければ処理をステップＳ２０７に進める一方、ＡＤＦ片面読取可であれば、処理をステップＳ２０９に進める。ＣＰＵ１０１は、ステップＳ２０９で、操作表示部２１０において、ＡＤＦ部１１２の使用を必要とする片面読取モード等のモードないし機能のみを選択可能な状態にする。例えば固定読みモードでは読み取れないような長い原稿を読み取る読取モード等が選択可能になる。
【００４９】
ステップＳ２０７では、ＣＰＵ１０１は、復帰応答のパラメータが、ＡＤＦ両面読取可であったか否かを判別し、ＡＤＦ両面読取可でなければ処理をステップＳ２０２に戻す一方、ＡＤＦ両面読取可であれば、処理をステップＳ２１０に進める。ＣＰＵ１０１は、ステップＳ２１０で、両面読取モードを選択可能にするために、両面読取モードボタン３０２を使用可能な状態にする（図４（ｃ））。
【００５０】
従って、少なくとも、圧板読取可という復帰応答パラメータの到来によって、スタートキー３０４を押して読取ジョブを実行することが可能になる。このようにして、起動中に使える操作ボタンのみ段階的に有効にしていくことができる。ステップＳ２０８、Ｓ２０９の処理後は、ＣＰＵ１２は、処理をステップＳ２０２に戻す。
【００５１】
このように、ステップＳ２０８、Ｓ２０９、Ｓ２１０では、実行可能なモードないし機能だけが選択可能な状態とされる。従って、後述する図６（ａ）のステップＳ３３２、Ｓ３１７、Ｓ３２７での通知内容によって、ユーザが選択・指示できる読取ジョブの内容が異なることになる。つまりユーザは、動作可能な読取ジョブしか投入することができない。
【００５２】
図６（ａ）は、電源投入時、または省電力モードから動作モードへの復帰時における、画像読取部１００で実行される制御処理のフローチャートである。
【００５３】
ユーザが、原稿読取装置の電源スイッチ（図示せず）をＯＮするか、または省電力モード中に復帰ボタン（図示せず）を押すと、コントローラ部２００によって画像読取部１００が通電され、本処理が開始される。
【００５４】
まず、ＣＰＵ１２は、コントローラ部２００のＣＰＵ１０１からの復帰コマンドの到来を待つ（ステップＳ３０１）。この復帰コマンドは、図５のステップＳ２０１で通知されるものである。そして、復帰コマンドが到来したら、ＣＰＵ１２は、図７で後述する３つの復帰シーケンスを同時に開始し、これらを並行して処理する（ステップＳ３１０、Ｓ３２０、Ｓ３３０）。
【００５５】
３つの復帰シーケンスには、まず、表面用ＣＣＤラインセンサ５８の高画質化のための表面読取ユニット５９の復帰シーケンス（以下、表面読取ユニット復帰シーケンスと称する）がある（ステップＳ３１０）。また、裏面用ＣＣＤラインセンサ２０の高画質化のための裏面読取ユニットＵＮＴの復帰シーケンス（以下、裏面読取ユニット復帰シーケンスと称する）がある（ステップＳ３２０）。さらに、ＡＤＦ部１１２の復帰シーケンス（以下、ＡＤＦ復帰シーケンスと称する）がある（ステップＳ３３０）。
【００５６】
後述する各復帰シーケンスの処理（図７）を経て、表面読取ユニット復帰シーケンスが完了すると、ＣＰＵ１２は、圧板読取可という復帰応答パラメータをコントローラ部２００に通知する（ステップＳ３１７）。裏面読取ユニット復帰シーケンスが完了すると、ＣＰＵ１２は、ＡＤＦ両面読取可という復帰応答パラメータをコントローラ部２００に通知する（ステップＳ３２７）。ＡＤＦ復帰シーケンスが完了すると、ＣＰＵ１２は、ＡＤＦ片面読取可という復帰応答パラメータをコントローラ部２００に通知する（ステップＳ３３２）。ステップＳ３１７、Ｓ３２７、Ｓ３３２の処理後は、ＣＰＵ１２は、図６（ａ）の処理を終了させる。
【００５７】
図７は、電源投入時または省電力モード解除時の各復帰シーケンスを示す図である。
【００５８】
各復帰シーケンスでは、読み取り時の画像読取条件の調整を行う。これは読み取り準備を行う調整動作であって、シェーディング補正を含むものであり、主にオフセット調整、読取ゲインの調整、光量調整からなる。
【００５９】
図７の上段に示す表面読み取りユニット復帰シーケンス（ステップＳ３１０）では、ＣＰＵ１２は、圧板読み取り時または片面読み取り時の画像読取条件の調整を行う。
【００６０】
すなわち、ＣＰＵ１２は、光学モータ４０（図３）を駆動して表面読取ユニット５９を図１の右方向へスライド移動させ、表面読取ユニットＨＰセンサ４２（図１、図３）の変化タイミングで位置出しを行う（ステップＳ３１１）。そしてＣＰＵ１２は、そのタイミングから、所定距離分の駆動を継続し、基準白板６０（図１）の下方の位置で表面読取ユニット５９を停止させる（ステップＳ３１２）。
【００６１】
次にＣＰＵ１２は、表面用ＣＣＤラインセンサ５８を駆動し（ステップＳ３１３）、光源ランプ５３を消灯した状態で表面用ＣＣＤラインセンサ５８が出力する濃度のうち、最も暗い値を読み取るオフセット調整を行う（ステップＳ３１４）。
【００６２】
次に、ＣＰＵ１２は、光源ランプ５３を点灯し、光源ランプ５３の発光量を徐々に上げながら、表面用ＣＣＤラインセンサ５８が出力する濃度のうち、最も明るい値が所定値に到達する発光量を探索する。そしてＣＰＵ１２は、表面用ＣＣＤラインセンサ５８の読取ゲインを調整する（ステップＳ３１５）。さらにＣＰＵ１２は、光量調整時の値を用いて、最も明るい値が所定値に到達するゲイン値を探索して光量調整を行う（ステップＳ３１６）。
【００６３】
表面読取ユニット復帰シーケンスは以上で完了である。表面読取ユニット復帰シーケンスの開始から完了までの所要時間は約２．７秒である。
【００６４】
図７の中段に示す裏面読み取りユニット復帰シーケンス（ステップＳ３２０）では、ＣＰＵ１２は、裏面読み取り時の画像読取条件の調整を行う。
【００６５】
すなわち、ＣＰＵ１２は、ガラス移動モータ４１（図３）を駆動して移動ガラス２２をスライド移動させ、裏面読取ガラスＨＰセンサ４３（図１）の変化タイミングで位置出しを行う（ステップＳ３２１）。ＣＰＵ１２は、そのタイミングから、所定距離分の駆動を継続し、裏面用ＣＣＤラインセンサ２０に基準白板６１が対向するように（裏面読取位置Ｐｒに位置するように）に移動ガラス２２を停止させる（図２(ａ)）（ステップＳ３２２）。
【００６６】
次にＣＰＵ１２は、裏面用ＣＣＤラインセンサ２０を駆動し（ステップＳ３２３）、光源ランプ２１を消灯した状態で裏面用ＣＣＤラインセンサ２０が出力する濃度のうち、最も暗い値を読み取るオフセット調整を行う（ステップＳ３２４）。
【００６７】
次にＣＰＵ１２は、光源ランプ２１を点灯し、光源ランプ２１の発光量を徐々に上げながら、裏面用ＣＣＤラインセンサ２０が出力する濃度のうち、最も明るい値が所定値に到達する発光量を探索する。そしてＣＰＵ１２は、裏面用ＣＣＤラインセンサ２０の読取ゲインを調整する（ステップＳ３２５）。さらにＣＰＵ１２は、光量調整時の値を用いて、最も明るい値が所定値に到達するゲイン値を探索して光量調整を行う（ステップＳ３２６）。
【００６８】
裏面読取ユニット復帰シーケンスは以上で完了である。裏面読取ユニット復帰シーケンスの開始から完了までの所要時間は約４．１秒である。
【００６９】
図７の下段に示すＡＤＦ復帰シーケンス（ステップＳ３３０）では、ＣＰＵ１２は、ＡＤＦ部１１２の初期化を行う。
【００７０】
すなわち、ピックアップローラ２が下がっているとユーザが原稿を原稿トレイ１にセットできない。そこでＣＰＵ１２は、それを回避するために、ピックアップモータ３９（図３）を用いてピックアップローラ２の位置出し（ホームポジションＨＰ出し）を行う（ステップＳ３３１）。
【００７１】
ＡＤＦ復帰シーケンスは以上で完了である。ＡＤＦ復帰シーケンスの開始から完了までの所要時間は約０．７秒である。
【００７２】
上記した各復帰シーケンスの所要時間の差と、図５のステップＳ２０８、Ｓ２０９、Ｓ２１０とからわかるように、復帰コマンドの到来後、一番最初に固定読みモードの実行が可能になる。
【００７３】
ステップＳ３１７で、圧板読取可という復帰応答パラメータを通知した時点では、各復帰シーケンスの所要時間の差から考えると、ＡＤＦ復帰シーケンスは完了しているが裏面読取ユニット復帰シーケンスは完了しているとは限らない。
【００７４】
図６（ｂ）は、画像読取部１００で実行されるジョブ処理のフローチャートである。この処理は、図６（ａ）の処理と並行して実行されている。
【００７５】
ＣＰＵ１２は、コントローラ部２００からの読取ジョブの投入を待つ（ステップＳ３４０）。この読取ジョブは、図５のステップＳ２０４で投入されるものである。なお、ステップＳ２０４で読取ジョブの投入が可能になるためには、図５のステップＳ２０８、Ｓ２０９、Ｓ２１０のいずれかを経て、モードないし機能の選択や指示が許可されている状態となっている必要がある。
【００７６】
読取ジョブが投入されたら、ＣＰＵ１２は、裏面読取ユニット復帰シーケンスが完了しているか否かを判別する（ステップＳ３４１）。その判別の結果、裏面読取ユニット復帰シーケンスが完了している場合は、３つの復帰シーケンスがいずれも完了していると判断できるので、ＣＰＵ１２は、投入された読取ジョブの実行へ移行する（ステップＳ３４５）。この場合、今回投入されている読取ジョブは、片面読み取り、圧板読み取りまたは両面読み取りのジョブのいずれでもあり得る。
【００７７】
一方、裏面読取ユニット復帰シーケンスが完了していない場合は、ＣＰＵ１２は、投入された読取ジョブが、ＡＤＦ部１１２の使用を必要とし且つ原稿の表面だけを読み取る、片面読み取りのジョブであるか否かを判別する（ステップＳ３４２）。ここで、裏面読取ユニット復帰シーケンスは完了していない状態であるので、上述したように、両面読取モードの選択が可能となっていない（図５のステップＳ２０７）。従って、今回投入されている読取ジョブは、両面読み取りではなく、片面読み取りもしくは圧板読み取りのジョブということになる。
【００７８】
片面読み取りのジョブは、流し読みにおいてＡＤＦ部１１２及び表面読取ユニット５９の使用を必要とするが、裏面読取ユニットＵＮＴの使用は必要としない。
【００７９】
そこでＣＰＵ１２は、投入された読取ジョブが片面読み取りのジョブである場合、裏面読取ユニット復帰シーケンスが実行中（未完了）であればそれを一旦中断して（ステップＳ３４３）、投入された読取ジョブを実行する（ステップＳ３４５）。従って、裏面読取ユニット復帰シーケンスが未完了であるか否かにかかわらず片面読み取りの実行は速やかに開始される。これにより、無駄な待ち時間の発生が回避される。
【００８０】
ステップＳ３４２の判別の結果、投入された読取ジョブが片面読み取りのジョブでない場合は、圧板読み取りのジョブである。その場合は、ＣＰＵ１２は、裏面読取ユニット復帰シーケンスが実行中ならばそれを中断することなく継続し（ステップＳ３４４）、ステップＳ３４５に処理を進める。すなわち、圧板読み取りのジョブであるなら、裏面読取ユニットＵＮＴの使用を必要としないから、ステップＳ３４５で、圧板読み取りの実行は速やかに開始される。
【００８１】
なお、ステップＳ３４１→Ｓ３４５と処理が移行し、且つ投入されている読取ジョブが両面読み取りのジョブである場合は、裏面読取ユニットＵＮＴの使用を必要とする。しかし裏面読取ユニット復帰シーケンスは既に完了しているから、両面読み取りのジョブの処理は速やかに開始されることになる。
【００８２】
ステップＳ３４５の処理後、ＣＰＵ１２は、裏面読取ユニット復帰シーケンスが完了しているか否かを改めて判別する（ステップＳ３４６）。その判別の結果、裏面読取ユニット復帰シーケンスが完了していない場合は、裏面読取ユニット復帰シーケンスを再開する。例えば、ステップＳ３４３で裏面読取ユニット復帰シーケンスを一旦中断したような場合に再開をすることになる。裏面読取ユニット復帰シーケンスが中断を介していない場合には、継続という形態となる。中断後の再開の場合は、シーケンスの最初からやり直す必要は無く、中断した制御単位で再開すればよく、従って、図７のステップＳ３２１〜Ｓ３２６のうち中断した処理ステップからやり直せばよい。
【００８３】
図８は、裏面読み取りユニット復帰シーケンスが完了していない状態で、片面読み取りのジョブが投入された場合の各復帰シーケンスを示す図である。図８に示す例には、図７の処理でいえば、ステップＳ３４２→Ｓ３４３→Ｓ３４５と遷移した場合が該当する。
【００８４】
図８に示すように、一例としてゲイン調整（ステップＳ３２５）の最中に片面読み取りのジョブが投入されると、ＣＰＵ１２は、ゲイン調整を一旦中断して、片面読み取りの動作（ステップＳ３４５ａ）を行うよう制御する。その際、移動ガラス２２については図２（ｂ）に示す位置に位置させてから片面読み取りを行う。
【００８５】
電源投入後の裏面読取センサの時間的な特性変化は小さいため、復帰シーケンスを再開するに際し、中断したゲイン調整からやり直せばよい。そこでＣＰＵ１２は、片面読み取りが終了すると、裏面用ＣＣＤラインセンサ２０に基準白板６１が対向するように移動ガラス２２を再び移動させ（ステップＳ３２２−２）、中断したゲイン調整を再開する（ステップＳ３２５−２）。
【００８６】
従来は、片面読み取りを行いたい場合であっても、裏面読み取りユニット復帰シーケンスの完了を待っていたが、本実施の形態では、片面読み取りが可能な状況であれば直ちにそれを行える。それにより、待ち時間が短縮される。裏面読み取りユニット復帰シーケンスの完了を待ってから片面読み取りをする従来構成に比べて、最大で、４．１−２.７＝約１．４秒の短縮が可能となる。
【００８７】
図９は、裏面読み取りユニット復帰シーケンスが完了していない状態で、圧板読み取り（圧板スキャン）のジョブが投入された場合の各復帰シーケンスを示す図である。図９に示す例には、図７の処理でいえば、ステップＳ３４２→Ｓ３４４→Ｓ３４５と遷移した場合が該当する。
【００８８】
読取ジョブとしての圧板読み取り（ステップＳ３４５ｂ）は、表面読取ユニット復帰シーケンスの完了後に開始される。その際、裏面読み取りユニット復帰シーケンスが中断されることはないため、裏面読み取りユニット復帰シーケンスは、開始から４．１秒で完了する。仮に、裏面読み取りユニット復帰シーケンスの完了を待ってから圧板読み取りを開始するのに比べると、最大で、４．１−２.７＝約１．４秒の短縮が可能となる。
【００８９】
また、通常、圧板スキャン完了時には裏面読み取りユニットＵＮＴの復帰シーケンスが完了しているので、次の読取ジョブでは直ちに両面読取モードを選択・実行することが可能である。
【００９０】
このように、表面用及び裏面用の２つの読取ユニットを備える両面同時読取方式の原稿読取装置において、省電力モードからの復帰時には、裏面用の読取ユニットの復帰が完了しなくても、ＡＤＦ部１１２の使用が可能である。
【００９１】
本実施の形態によれば、片面読み取りを行うジョブが投入された場合は、裏面用ＣＣＤラインセンサ２０の調整動作が完了しているか否かにかかわらず、ＡＤＦ部１１２及び表面読取ユニット５９の動作が許可されて片面読み取りが行われる。よって、裏面読み取りが不要な場合の待ち時間を短縮することができ、高画質化とユーザの利便性を両立することができる。
【００９２】
また、圧板読み取りを行うジョブが投入された場合は、裏面用ＣＣＤラインセンサ２０の調整動作が完了しているか否かにかかわらず、表面読取ユニット５９の動作が許可されて圧板読み取りが行われる。従って、圧板読み取りにおいても、待ち時間を短縮して利便性を高めることができる。
【００９３】
また、裏面用ＣＣＤラインセンサ２０の調整動作が中断された場合、読取ジョブの処理の終了後に調整動作が直ちに再開されるので、調整動作を不必要に遅延させることがない。さらに、圧板読み取りを行うジョブが投入された場合に、裏面用ＣＣＤラインセンサ２０の調整動作が完了していないときはそれが中断されることなく、圧板読み取りが行われるのと並行して調整動作が継続されるので、調整動作を遅延させることがない。
【００９４】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００９５】
１２  ＣＰＵ
ＵＮＴ  裏面読取ユニット
２０  裏面用ＣＣＤラインセンサ
２２  移動ガラス
５８  表面用ＣＣＤラインセンサ
５９  表面読取ユニット
６１  基準白板
１００  画像読取部
１１２  自動原稿送り部（ＡＤＦ部）
【図１】
2014187617.tif 000003
【図２】
2014187617.tif 000004
【図３】
2014187617.tif 000005
【図４】
2014187617.tif 000006
【図５】
2014187617.tif 000007
【図６】
2014187617.tif 000008
【図７】
2014187617.tif 000009
【図８】
2014187617.tif 000010
【図９】
2014187617.tif 000011